(57)【特許請求の範囲】
【請求項１】
ＩＳＤＮとインターネットをゲートウエイ装置を介して接続し、発信端末から前記ＩＳＤＮに入力された情報に基づいて前記発信端末を前記インターネットに接続された着信端末に接続する通信ネットワークにおいて、
前記ゲートウエイ装置と前記着信端末との間に音声メディアチャネルとＦＡＸメディアチャネルの２つを同時に設定するメディアチャネル設定手段と、
前記ゲートウエイ装置が、前記発信端末を前記インターネットを介して、前記着信端末に始めに前記音声メディアチャネルによって接続する接続手段と、
前記音声メディアチャネル接続中に受信したＦＡＸ信号を破棄するＦＡＸ信号破棄手段と、
前記着信端末においてＦＡＸ手順を抑止するＦＡＸ手順抑止手段と、
前記着信端末が前記音声メディアチャネルを介して一定時間内に音声信号を受信するかを監視する監視手段とを備え、
前記監視手段において前記一定時間内に音声信号が受信されるとき、前記着信端末が音声通話装置として前記インターネットに接続されている状態を継続し、前記監視手段において前記一定時間内に音声信号が受信されないとき、前記接続手段で、前記音声メディアチャネルとの接続を切断し、代わりに前記ＦＡＸメディアチャネルに接続し、前記着信端末における前記ＦＡＸ手順抑止手段を解除し、前記着信端末をＦＡＸ装置として前記インターネットに接続することを特徴とする通信ネットワークシステム。
【請求項２】
ＩＳＤＮとインターネットをゲートウエイ装置を介して接続し、発信端末から前記ＩＳＤＮに入力された情報に基づいて前記発信端末を前記インターネットに接続された着信端末に接続する通信ネットワークにおいて、
前記ゲートウエイ装置と前記着信端末との間に音声メディアチャネルとＦＡＸメディアチャネルの２つを同時に設定するメディアチャネル設定手段と、
前記ゲートウエイ装置が、前記発信端末を前記インターネットを介して、前記着信端末に始めに前記音声メディアチャネルによって接続する接続手段と、
前記音声メディアチャネル接続中に受信したＦＡＸ信号を破棄するＦＡＸ信号破棄手段と、
前記着信端末においてＦＡＸ手順を抑止するＦＡＸ手順抑止手段と、
前記ゲートウエイ装置がＦＡＸ信号を受信するかを監視する第１の監視手段と、
前記着信端末が前記音声メディアチャネルを介して一定時間内に音声信号を受信するかを監視する第２の監視手段とを備え、
第１の監視手段においてＦＡＸ信号が受信されると、前記接続手段で、前記音声メディアチャネルとの接続を切断し、代わりに前記ＦＡＸメディアチャネルに接続し、
第２の監視手段において前記一定時間内に音声信号が受信されるとき、前記着信端末が音声通話装置として前記インターネットに接続されている状態を継続し、第２の監視手段において前記一定時間内に音声信号が受信されないとき、前記着信端末における前記ＦＡＸ手順抑止手段を解除し、前記着信端末をＦＡＸ装置として前記インターネットに接続することを特徴とする通信ネットワークシステム。
【請求項３】
ＩＳＤＮとインターネットをゲートウエイ装置を介して接続し、発信端末から前記ＩＳＤＮに入力された情報に基づいて前記発信端末を前記インターネットに接続された着信端末に接続する通信ネットワークにおいて、
前記発信端末から前記ＩＳＤＮに入力された情報に音声呼かＦＡＸ呼かの指定がなくとも、音声メディアチャネルとＦＡＸメディアチャネルを前記着信端末に接続し、前記ゲートウエイ装置がＦＡＸ信号を受信するかを監視する第１の監視手段、及び前記着信端末が音声信号を受信するかを監視する第２の監視手段により接続すべきメディアチャネルを受信信号に基づいて選択することにより、前記着信端末が、音声通話装置または、ＦＡＸ装置として前記発信端末に接続されることを特徴とする通信ネットワークシステム。
【請求項４】
ＩＳＤＮとインターネットを接続し、発信端末から前記ＩＳＤＮに入力された情報に基づいて前記発信端末を前記インターネットに接続された着信端末に接続するゲートウエイ装置において、
前記着信端末との間に音声メディアチャネルとＦＡＸメディアチャネルの２つを同時に設定するメディアチャネル設定手段を備えることを特徴とするゲートウエイ装置。
【請求項５】
前記ゲートウエイ装置が、
前記発信端末を前記インターネットを介して、前記着信端末に始めに前記音声メディアチャネルによって接続する接続手段と、
ＦＡＸ信号を受信するかを監視する監視手段と
をさらに備え、
前記監視手段においてＦＡＸ信号が受信されると、前記音声メディアチャネルとの接続を切断し、代わりに前記ＦＡＸメディアチャネルに接続することを特徴とする請求項４記載のゲートウエイ装置。
【請求項６】
前記ゲートウエイ装置が、
前記発信端末を前記インターネットを介して、前記着信端末に始めに音声メディアチャネルによって接続する接続手段と、
前記音声メディアチャネル接続中、すなわちＦＡＸメディアチャネルが接続されていないときに受信したＦＡＸ信号を破棄するＦＡＸ信号破棄手段とをさらに備えることを特徴とする請求項４記載のゲートウエイ装置。
【発明の詳細な説明】
【０００１】
【発明の属する技術分野】
本発明は、異なる通信プロトコル有するネットワークをプロトコルの変換機能を有するゲートウエイ装置で接続し、１つのネットワーク内の端末から他のネットワーク内の端末を音声通話装置または、ＦＡＸ装置として接続することができる通信ネットワークシステムに関するものである。
【０００２】
【従来の技術】
近年、インターネットを用いてＦＡＸ通信するための通信規格として、ＩＴＵ−Ｔ勧告Ｔ．３８（静止画と音声を中心とする情報通信システムに適応し、ＩＰ網上のリアルタイムＧ３ＦＡＸに対するトランスポート層のプロトコルを規定した勧告）が作成された。この勧告Ｔ．３８により、ＩＳＤＮ（Ｉｎｔｅｇｒａｔｅｄ  Ｓｅｒｖｉｃｅｓ  Ｄｉｇｉｔａｌ  Ｎｅｔｗｏｒｋ：電話やＦＡＸ、データ通信を統合して扱うデジタル通信網）やアナログ電話回線等から送られるＧ３ＦＡＸ信号（アナログ用ＦＡＸ信号）をＴ．３８ゲートウエイ装置でプロトコル変換することにより、パケット交換網として機能するインターネットに接続されたＴ．３８ＦＡＸ端末をリアルタイムに接続することができる。
【０００３】
通常、ＩＳＤＮとＩＰ網（Ｉｎｔｅｒｎｅｔ  Ｐｒｏｔｏｃｏｌ：ネットワーク内での機器のアドレッシングや、通信経路のルーティングをするための方法を定義しているＯＳＩ基本参照モデルのネットワーク層に位置するコネクションレス型のプロトコルを用いたパケット通信網）、ＬＡＮ、ＰＨＳなどのインターネットをＴ．３８ゲートウエイ装置で接続した通信ネットワークシステムにおいて、ＩＳＤＮ内の発信端末からゲートウエイ装置を介してインターネット内の音声通話機能、及びＴ．３８ＦＡＸ機能を有するＴ．３８端末を音声通話装置、またはＴ．３８ＦＡＸ装置として接続しようとした場合、Ｔ．３８端末とインターネットとの間には、それぞれ異なるメディアチャネルの設定が必要であり、ゲートウエイ装置で、音声メディアチャネルか、ＦＡＸメディアチャネルかのいずれかを設定しなければならないため、発信端末の発呼信号で音声呼かＦＡＸ呼かの識別情報が必要である。
【０００４】
ＩＳＤＮ内の発信端末は、ＩＳＤＮ  ＵＮＩ（Ｕｓｅｒ  Ｎｅｔｗｏｒｋ  Ｉｎｔｅｒｆａｃｅ）に準拠する端末であり、音声呼、またはＧ３ＦＡＸ呼の発呼を行え、ＩＴＵ−Ｔ勧告Ｑ．９３１（ＩＳＤＮユーザーネットワークでの基本的な呼び出しコントロールのためのインターフェースを規定したネットワーク層のプロトコル）を用いて発信端末の発呼信号により音声呼であるかＦＡＸ呼であるかの識別が行える。
【０００５】
【発明が解決しょうとする課題】
しかしながら、従来の通信ネットワークシステムによると、発信端末の発呼信号による音声呼であるかＦＡＸ呼であるかの識別は、オプションパラメータであり必ずしも設定されないことがある。発信端末の発呼信号の中に音声呼かＦＡＸ呼かの設定がなされていない場合、着信端末とＩＰ網とゲートウエイ装置との間に音声メディアチャネルあるいは、ＦＡＸメディアチャネルの何れのチャネルを設定してよいのかの判断ができないため、発信端末を着信端末に接続することができない。また、音声メディアチャネルと、ＦＡＸメディアチャネルの両方のメディアチャネルを設定した場合、着信端末では、ＩＳＤＮからの呼であることを識別できないので、音声呼であっても、ＦＡＸ呼の手順を起動してしまうという不都合があった。
【０００６】
本発明は、このような問題に鑑みてなされたもので、その目的とするところは、発信端末の発呼信号の中に音声呼か、ＦＡＸ呼の設定が無い場合であっても発信端末を着信端末に適確に接続することができる通信ネットワークシステム及びゲートウエイ装置を提供することにある。
【０００７】
【課題を解決するための手段】
前述した目的を達成するために、第１の発明は、ＩＳＤＮとインターネットをゲートウエイ装置を介して接続し、発信端末から前記ＩＳＤＮに入力された情報に基づいて前記発信端末を前記インターネットに接続された着信端末に接続する通信ネットワークにおいて、前記ゲートウエイ装置と前記着信端末との間に音声メディアチャネルとＦＡＸメディアチャネルの２つを同時に設定するメディアチャネル設定手段と、前記ゲートウエイ装置が、前記発信端末を前記インターネットを介して、前記着信端末に始めに前記音声メディアチャネルによって接続する接続手段と、前記音声メディアチャネル接続中に受信したＦＡＸ信号を破棄するＦＡＸ信号破棄手段と、前記着信端末においてＦＡＸ手順を抑止するＦＡＸ手順抑止手段と、前記着信端末が前記音声メディアチャネルを介して一定時間内に音声信号を受信するかを監視する監視手段とを備え、前記監視手段において前記一定時間内に音声信号が受信されるとき、前記着信端末が音声通話装置として前記インターネットに接続されている状態を継続し、前記監視手段において前記一定時間内に音声信号が受信されないとき、前記接続手段で、前記音声メディアチャネルとの接続を切断し、代わりに前記ＦＡＸメディアチャネルに接続し、前記着信端末における前記ＦＡＸ手順抑止手段を解除し、前記着信端末をＦＡＸ装置として前記インターネットに接続することを特徴とする通信ネットワークシステムである。
【０００８】
第1の発明では、発信端末の情報の中に音声呼かＦＡＸ呼の識別が無くとも、音声メディアチャネルとＦＡＸメディアチャネルの２つメディアチャネルを設定し、始めに着信端末を音声通話装置として発信端末に接続し、音声メディアチャネルでＦＡＸ信号を破棄し、着信端末でＦＡＸ手順を抑止して、音声信号のみが着信端末に到達するようにして、一定時間音声信号の受信を監視し、音声信号が受信されないとき、着信端末をＦＡＸ装置として発信端末に接続することにより、発信端末から音声通話あるいは、ＦＡＸ送信を行うことができる。
【０００９】
第２の発明は、ＩＳＤＮとインターネットをゲートウエイ装置を介して接続し、発信端末から前記ＩＳＤＮに入力された情報に基づいて前記発信端末を前記インターネットに接続された着信端末に接続する通信ネットワークにおいて、前記ゲートウエイ装置と前記着信端末との間に音声メディアチャネルとＦＡＸメディアチャネルの２つを同時に設定するメディアチャネル設定手段と、前記ゲートウエイ装置が、前記発信端末を前記インターネットを介して、前記着信端末に始めに前記音声メディアチャネルによって接続する接続手段と、前記音声メディアチャネル接続中に受信したＦＡＸ信号を破棄するＦＡＸ信号破棄手段と、前記着信端末においてＦＡＸ手順を抑止するＦＡＸ手順抑止手段と、前記ゲートウエイ装置がＦＡＸ信号を受信するかを監視する第１の監視手段と、前記着信端末が前記音声メディアチャネルを介して一定時間内に音声信号を受信するかを監視する第２の監視手段とを備え、第１の監視手段においてＦＡＸ信号が受信されると、前記接続手段で、前記音声メディアチャネルとの接続を切断し、代わりに前記ＦＡＸメディアチャネルに接続し、第２の監視手段において前記一定時間内に音声信号が受信されるとき、前記着信端末が音声通話装置として前記インターネットに接続されている状態を継続し、第２の監視手段において前記一定時間内に音声信号が受信されないとき、前記着信端末における前記ＦＡＸ手順抑止手段を解除し、前記着信端末をＦＡＸ装置として前記インターネットに接続することを特徴とする通信ネットワークシステムである。
【００１０】
第２の発明では、発信端末の情報の中に音声呼かＦＡＸ呼の識別が無くとも、音声メディアチャネルとＦＡＸメディアチャネルの２つメディアチャネルを設定し、始めに着信端末を音声通話装置として発信端末に接続し、音声メディアチャネルでＦＡＸ信号を破棄し、着信端末でＦＡＸ手順を抑止して、音声信号のみが着信端末に到達するようにして、ゲートウエイ装置でＦＡＸ信号を受信したとき、つまり、着信端末で一定時間音声信号が受信されないとき、着信端末をＦＡＸ装置として発信端末に接続することにより、発信端末から音声通話あるいは、ＦＡＸ送信を行うことができる。
【００１１】
第３の発明は、ＩＳＤＮとインターネットをゲートウエイ装置を介して接続し、発信端末から前記ＩＳＤＮに入力された情報に基づいて前記発信端末を前記インターネットに接続された着信端末に接続する通信ネットワークにおいて、前記発信端末から前記ＩＳＤＮに入力された情報に音声呼かＦＡＸ呼かの指定がなくとも、音声メディアチャネルとＦＡＸメディアチャネルを前記着信端末と前記ゲートウエイ間に設定し、始めに前記音声メディアチャネルを前記発信端末に接続し、前記ゲートウエイ装置がＦＡＸ信号を受信するかを監視する第１の監視手段、及び前記着信端末が音声信号を受信するかを監視する第２の監視手段により接続すべきメディアチャネルを受信信号に基づいて選択することにより、前記着信端末が、音声通話装置または、ＦＡＸ装置として前記発信端末に接続されることを特徴とする通信ネットワークシステムである。
【００１２】
第４の発明は、ＩＳＤＮとインターネットをゲートウエイ装置を介して接続し、発信端末から前記ＩＳＤＮに入力された情報に基づいて前記発信端末を前記インターネットに接続された着信端末に接続する通信ネットワークにおいて、前記ゲートウエイ装置と前記着信端末との間に音声メディアチャネルとＦＡＸメディアチャネルの２つを同時に設定するメディアチャネル設定手段を備えることを特徴とするゲートウエイ装置である。
【００１３】
【発明の実施の形態】
以下、図面に基づいて本発明の形態を詳細に説明する。図１は本発明に係る通信ネットワークシステム１の実施形態の一例を示したブロック図である。図１に示されるように、本発明の通信ネットワークシステム１は、発信端末２、ＩＳＤＮ３、ゲートウエイ装置４、ＩＰ網５、着信端末６等で構成され、発信端末２を収容するＩＳＤＮ３と、着信端末６を収容するＩＰ網５とはゲートウエイ装置４を介して接続される。
【００１４】
発信端末２は、ＩＳＤＮ  ＵＮＩに準拠する端末であり、音声呼、またはＧ３ＦＡＸ呼の発呼を行え、ＩＴＵ−Ｔ勧告Ｑ．９３１を用いて発信端末２の発呼信号により音声呼であるかＦＡＸ呼であるかの識別を行える。
ＩＳＤＮ３は、ＩＴＵ−Ｔ勧告に準拠する回線交換網である。
【００１５】
ゲートウエイ装置４は、ＩＴＵ−Ｔ勧告Ｔ．３８の手順に従いＩＳＤＮ３とＩＰ網５の通信プロトコルの変換を行い、チャネル切り替え装置７とメディアチャネル８でＩＳＤＮ３とＩＰ網５とを接続する。
【００１６】
メディアチャネル８には、音声メディアチャネル９とＦＡＸメディアチャネル１０の２つのメディアチャネルがあり、ゲートウエイ装置４と着信端末６の間は、ＩＰ網５を介して、音声メディアチャネル９と、ＦＡＸメディアチャネル１０の２つのメディアチャネルが設定される。
チャネル切り替え装置７は、音声メディアチャネル９とＦＡＸメディアチャネル１０の接続の切り替えを行う。
【００１７】
ＩＰ網５は、ＴＣＰ（Ｔｒａｎｓｍｉｓｓｉｏｎ  ｃｏｎｔｒｏｌ  ｐｒｏｔｏｃｏｌ）／ＵＤＰ（Ｕｓｅｒ  Ｄａｔａｇｒａｍ  ｐｒｏｔｏｃｏｌ）／ＩＰ（インターネットの標準プロトコル）をサポートし、コネクションレス型のパケット交換を行う。
着信端末６は、ＩＴＵ−Ｔ勧告Ｔ３８の手順に従い、音声通話装置として、またはＴ．３８ＦＡＸ装置として接続できる。
【００１８】
図２は、ＩＳＤＮ３とゲートウエイ装置４と着信端末６の間の通信処理を説明するためのブロック図である。
図２に示されるように、ＩＳＤＮ３は、Ｃ−Ｐｌａｎｅ部３１とＵ−Ｐｌａｎｅ部３２とから構成される。Ｃ−Ｐｌａｎｅ部３１は、呼設定のための信号手順を実行し、Ｕ−Ｐｌａｎｅ部３２は、端末間の音声信号または、ＦＡＸ信号等のユーザ信号を転送する。
【００１９】
ゲートウエイ装置４は、Ｃ−Ｐｌａｎｅインターワーク部４１とＨ．３２３（パケットに基づく音声、動画像、データ通信の送受信方法の仕様と発呼時の信号方式を規定したＩＴＵ−Ｔ勧告）インターフェース４２とＵ−Ｐｌａｎｅインターワーク部４３とから構成される。
【００２０】
Ｃ−Ｐｌａｎｅインターワーク部４１は、Ｃ−Ｐｌａｎｅ部３１と、Ｈ．３２３インターフェース４２を介して着信端末６との間の呼設定のための信号手順を実行する。
【００２１】
Ｈ．３２３インターフェース４２は、ＩＳＤＮ３のＣ−Ｐｌａｎｅ部３１のＩＳＵＰ（ユーザがＩＳＤＮサービスを利用するために必要な信号と手順を規定するＮｏ．７共通線信号方式）手順を用いて、Ｃ−Ｐｌａｎｅインターワーク部４１を介して着信端末６を接続する。
【００２２】
Ｕ−Ｐｌａｎｅインターワーク部４３は、Ｕ−Ｐｌａｎｅ部３２を介して発信端末２と着信端末６との間の音声信号または、ＦＡＸ信号等のユーザ信号を転送する。Ｕ−Ｐｌａｎｅインターワーク部４３は、メディアチャネル管理部４４、チャネル切り替え部４５、音声信号変換部４６、ＦＡＸ信号処理部４７で構成される。
【００２３】
メディアチャネル管理部４４は、発信端末２毎に音声メディアチャネル９とＦＡＸメディアチャネル１０の管理、及びチャネル切り替え装置７の切り替え管理を行う。
チャネル切り替え部４５は、チャネル切り替え装置７を制御し、ＩＳＤＮ３のＵ−Ｐｌａｎｅ部３２に音声メディアチャネル９またはＦＡＸメディアチャネル１０のいずれかのチャネルを接続する。
【００２４】
音声メディアチャネル９接続後、音声信号変換部４６は、ＩＳＤＮ３のＵ−Ｐｌａｎｅ部３２からＦＡＸ信号と音声信号の両方を受信するので、ＩＳＤＮ３のＵ−Ｐｌａｎｅ部３２から受け取るＦＡＸ信号を破棄し、着信端末６にＦＡＸ信号が到達しないようにする。
また、音声信号変換部４６は、音声メディアチャネル９がＩＳＤＮ３のＵ−Ｐｌａｎｅ部３２から受け取った音声信号をＩＰ網５に送出するため、または、その逆の形式変換を行う。
【００２５】
ＦＡＸ信号処理部４７は、ＩＳＤＮ３のＵ−Ｐｌａｎｅ部３２からのＦＡＸ信号の受信を監視し、ＦＡＸ信号を受信した場合、メディアチャネル管理部４４へ通知する。
また、ＦＡＸ信号処理部４７は、ＩＳＤＮ３のＵ−Ｐｌａｎｅ部３２から受信したアナログ回線用Ｇ３ＦＡＸ信号をＩＰ網５用に、または、その逆のプロトコル形式の変換を行う。
【００２６】
図３は、通信ネットワークシステム１の処理の概要を説明するフローチャートである。発信端末２が発呼信号をＣ−Ｐｌａｎｅインターワーク部４１に送信すると（ステップ３０１）、Ｃ−Ｐｌａｎｅインターワーク部４１は、音声メディアチャネル９とＦＡＸメディアチャネル１０の設定をＨ．３２３インターフェース４２を介して着信端末６に要求する。
【００２７】
着信端末６は、ＩＰ網５を介してゲートウエイ装置４との間に音声メディアチャネル９とＦＡＸメディアチャネル１０を設定する（ステップ３０２）。次に、ゲートウエイ装置４のチャネル切り替え装置７を音声メディアチャネル９に切り替え（ステップ３０３）、ＩＳＤＮ３のＵ−Ｐｌａｎｅ部３２と音声メディアチャネル１０と着信端末６を接続し（ステップ３０４）、始めに着信端末６を音声通話装置とする。
【００２８】
接続が完了すると、音声メディアチャネル９は、ＩＳＤＮ３のＵ−Ｐｌａｎｅ部３２からＦＡＸ信号と音声信号の両方を受信するので、ゲートウエイ装置４の音声信号変換部４６で、ＩＳＤＮ３のＵ−Ｐｌａｎｅ部３２から受け取るＦＡＸ信号を破棄する（ステップ３０５）。つまり、着信端末６には音声信号のみが到達する。
【００２９】
次に、ゲートウエイ装置４のＦＡＸ信号処理部４７でＦＡＸ信号の受信を監視し（ステップ３０６）、同時に着信端末６が音声信号でＦＡＸ手順を起動しないようにするため、着信端末６でＦＡＸ手順を抑止し（ステップ３１０）、着信端末６で一定時間音声信号の受信を監視する（ステップ３１１）。
【００３０】
ステップ３１１で音声信号が受信されれば、そのまま，音声信号の受信を継続し（ステップ３１２）、着信端末６は、音声通話装置となる。
また、ステップ３１１で一定時間内に音声信号が受信され無ければ、着信端末６で、ＦＡＸ手順を起動する（ステップ３１３）。
【００３１】
ステップ３０６でＦＡＸ信号が受信されれば、チャネル切り替え装置７をＦＡＸメディアチャネル１０に切り替え（ステップ３０７）、ＩＳＤＮ３のＵ−Ｐｌａｎｅ部３２とＦＡＸメディアチャネル１０と着信端末６を接続する（ステップ３０８）。ＦＡＸ信号処理部４７でＦＡＸ信号が受信されるときは、着信端末６では、ステップ３０５の処理によりステップ３１１で音声信号を受信することが無いので、ＦＡＸ手順が起動され（ステップ３１３）、着信端末６はＦＡＸ装置となる。
【００３２】
ステップ３０６でＦＡＸ信号が受信されなれば、着信端末６において自動的にステップ３１１からの着信端末６で一定時間音声信号を監視する処理が実行される。
【００３３】
図４、図５は、通信ネットワークシステム１のＩＳＤＮ３からＩＰ網５内の着信端末６への接続手順を詳細に説明するフローチャートである。発信端末２は、ＩＳＤＮ  ＵＮＩ手順に従い発呼を行う（ステップ４０１）。
【００３４】
Ｃ−Ｐｌａｎｅ部３１は、ＩＴＵ−Ｔ勧告に従った手順で呼を設定し（ステップ４０２）、ゲートウエイ装置４のＣ−Ｐｌａｎｅインターワーク部４１に発呼信号を送る（ステップ４０３）。発呼信号の呼設定要求の中で音声呼かＦＡＸ呼かを示す識別情報は、オプションパラメータであり必ずしも設定されない。
【００３５】
Ｃ−Ｐｌａｎｅインターワーク部４１では、Ｈ．３２３インターフェース４２を介して音声メディアチャネル９、ＦＡＸメディアチャネル１０を設定するよう着信端末６に要求する（ステップ４０４）。
着信端末６は、Ｈ．３２３のＦａｓｔ  Ｃｏｎｎｅｃｔ手順または、Ｈ．２４５手順に従い、音声メディアチャネル９、ＦＡＸメディアチャネル１０を設定する（ステップ４０５）。
【００３６】
メディアチャネル８の設定が完了すると、Ｃ−Ｐｌａｎｅインターワーク部４１は、メディアチャネル管理部４４に通知する（ステップ４０６）。
メディアチャネル管理部４４は、発信端末２毎に音声メディアチャネル９と、ＦＡＸメディアチャネル１０を記憶し（ステップ４０７）、チャネル切り替え部４５に音声メディアチャネル９をＵ−Ｐｌａｎｅ部３２に接続するよう要求する（ステップ４０８）。
【００３７】
チャンネル切り替え部４５がチャネル切り替え装置７を音声メディアチャネル９に接続すると（ステップ４０９）、発信端末２からＵ−Ｐｌａｎｅ部３２、音声メディアチャネル９、ＩＰ網５を介して着信端末６までの接続が完成し、着信端末６で音声信号の受信を行うことができる。始め、着信端末６は音声通話用装置として接続される。
【００３８】
音声メディアチャネル９の接続が完成すると、音声信号変換部４６は、発信端末２からＩＳＤＮのＵ−Ｐｌａｎｅ部３２を介して送られるＦＡＸ信号と音声信号の両方を受信するので、音声信号変換部４６では、ＦＡＸ信号を破棄し（ステップ４１０）、平行してＩＳＤＮ３のＵ−Ｐｌａｎｅ部３２から受け取った音声信号をＩＰ網５に送出するため、または、その逆の形式変換を行う。
【００３９】
ステップ４１０の後、Ｃ−Ｐｌａｎｅインターワーク部４１は、Ｃ−Ｐｌａｎｅ部３１に呼設定完了の通知を行う（ステップ４１１）。
【００４０】
Ｃ−Ｐｌａｎｅ部３１は、呼設定の完了を受けて、発信端末２に呼設定の完了を連絡する（ステップ４１２）。
通常、発信端末２は、音声信号を送信するか（ステップ４１３）、または、ＦＡＸ信号を送信するかの操作を行う（ステップ４１４）。
【００４１】
呼設定の完了を受けて、ＦＡＸ信号処理部４７はＦＡＸ信号が送信されていないか監視を開始する（ステップ４１５）。ＦＡＸ信号を受信すると、ＦＡＸ信号処理部４７は、メディアチャネル管理部４４に通知する（ステップ４１６）。
【００４２】
ステップ４１６の後、メディアチャネル管理部４４は、チャネル切り替え部４５にＦＡＸメディアチャネル１０をＵ−Ｐｌａｎｅ部３２に接続するよう要求する（ステップ４１７）。
【００４３】
チャンネル切り替え部４５は、チャネル切り替え装置７をＦＡＸメディアチャネル１０に切り替え（ステップ４１８）、発信端末２からＵ−Ｐｌａｎｅ部３２、ＦＡＸメディアチャネル１０、ＩＰ網５を介して着信端末６までの接続が完成する。
【００４４】
ステップ４０５の後、着信端末６では、ＦＡＸ手順の起動を抑止し（ステップ５００）、タイマーをセットし（ステップ５０１）、音声信号を監視する（ステップ５０２）。
音声信号が受信されれば（ステップ５０３）、タイマーをリセットし（ステップ５０４）、そのまま音声信号受信を継続する（ステップ５０５）。着信端末６は音声通話装置として接続され処理が終了する。
【００４５】
ステップ５００の処理は、着信端末６では、ＩＳＤＮ３からの呼であることを識別できないので、音声信号でＦＡＸ手順を起動してしまうためそれを抑止する処理である。
【００４６】
ステップ５０３で音声信号が受信されなければ、タイマーがタイムアウトするまでステップ５０２で引き続き音声信号を監視する。音声信号が一定時間受信されない場合、タイマーがタイムアウトし（ステップ５１０）、着信端末６でＦＡＸ手順を起動する（ステップ５１１）。
このとき、ゲートウエイ装置４は、ステップ４１８で、発信端末２からＵ−Ｐｌａｎｅ部３２、ＦＡＸメディアチャネル１０、ＩＰ網５を介して着信端末６までの接続が完成しているので、着信端末６は、ＦＡＸ信号を受信することができる。着信端末６は、ＦＡＸ装置として接続され処理が終了する。
【００４７】
このように、本実施の形態では、ゲートウエイ装置４と着信端末６との間に音声メディアチャネル９とＦＡＸメディアチャネル１０を２つ同時に設定し、チャネル切り替え装置７を音声メディアチャネル９に接続し、始めに着信端末６を音声通話装置として通信ネットワークシステムに接続し、ゲートウエイ装置４でＦＡＸ信号を待ちながら、それと同時に、着信端末６で音声信号を待ち、ＦＡＸ信号が受信される場合に、チャネル切り替え装置７をＦＡＸメディアチャネル１０に切り替えてＦＡＸ装置として接続することで、着信端末６を音声通話装置としてもＦＡＸ装置としも接続することができる。
【００４８】
また、請求項１記載の通信ネットワークシステムのように、ゲートウエイ装置４のＦＡＸ信号処理部４７でＦＡＸ信号を監視する図３のステップ３０６からステップ３０８を省略して、着信端末６で一定時間音声信号を監視する図３のステップ３１０からステップ３１３の処理だけで、着信端末６を音声通話装置として、またはＦＡＸ装置として接続することもできる。この場合、最初に送信されるＦＡＸ信号が捨てられないよう一定時間について考慮する必要がある。
尚、ＩＰ網５は、他のインターネット、ＬＡＮ、ＰＨＳ等でも良い。
【００４９】
【発明の効果】
以上詳細に説明したように、本発明の通信ネットワークシステム１によれば、ゲートウエイ装置４と着信端末６との間に音声メディアチャネル９とＦＡＸメディアチャネル１０を２つ同時に設定し、チャネル切り替え装置７を音声メディアチャネル９に接続し、始めに着信端末６を音声通話装置として通信ネットワークシステムに接続し、ゲートウエイ装置４のＦＡＸ信号処理部４７でＦＡＸ信号を待ちながら、それと同時に、着信端末６で一定時間音声信号を待ち、ＦＡＸ信号が受信されるときに、チャネル切り替え装置７をＦＡＸメディアチャネル１０に切り替えれ、着信端末６をＦＡＸ装置として接続すれば、発信端末２の発呼信号の中に音声呼か、ＦＡＸ呼の設定が無い場合であっても発信端末２を着信端末６に適確に接続することができる。
【図面の簡単な説明】
【図１】本発明に係る通信ネットワークシステム１の実施形態の一例を示したブロック図
【図２】ＩＳＤＮ３とゲートウエイ装置４との間の通信処理を説明するためのブロック図
【図３】通信ネットワークシステム１の処理の概要を説明するフローチャート
【図４】通信ネットワークシステム１のＩＳＤＮ３からＩＰ網５内の着信端末６への接続手順を詳細に説明するフローチャート
【図５】通信ネットワークシステム１のＩＳＤＮ３からＩＰ網５内の着信端末６への接続手順を詳細に説明するフローチャート
【符号の説明】
１………通信ネットワークシステム
２………発信端末
３………ＩＳＤＮ
４………ゲートウエイ装置
５………ＩＰ網
６………着信端末
７………チャネル切り替え装置
８………メディアチャネル
９………音声メディアチャネル
１０………ＦＡＸメディアチャネル
３１………Ｃ−Ｐｌａｎｅ部
３２………Ｕ−Ｐｌａｎｅ部
４１………Ｃ−Ｐｌａｎｅインターワーク部
４２………Ｈ．３２３インターフェース
４３………Ｕ−Ｐｌａｎｅインターワーク部
４４………メディアチャネル管理部
４５………チャネル切り替え部
４６………音声信号変換部
４７………ＦＡＸ信号処理部
【図１】
0003726725.tif 000002
【図２】
0003726725.tif 000003
【図３】
0003726725.tif 000004
【図４】
0003726725.tif 000005
【図５】
0003726725.tif 000006